(57)【要約】【課題】情報端末機器の商用電源の通電状態を検知し、結果を表示部に表示することを目的とする。【解決手段】商用電源に接続した電圧調整手段１２と、前記電圧調整手段１２及び電池１４と電圧入力部で接続した通電検知手段１６と、電圧閾値を格納する記憶手段１７と、表示部２０と、制御部１１と、電池１４とを備え、前記通電検知手段１６は、前記電圧入力部の電圧と前記記憶手段１７に記憶した通電判定用の電圧閾値を比較し、前記制御部１１は前記比較結果が通電判定用の電圧閾値より低いとき商用電源の供給が遮断されたと判断し、電池１７から電源供給されていることを利用者に通知するものである。【選択図】  図２
2004227381.tif 000002
【特許請求の範囲】
【請求項１】
商用電源に接続した電圧調整手段と、前記電圧調整手段及び電池と電圧入力部で接続した通電検知手段と、複数の電圧閾値を格納する記憶手段と、表示部と、制御部と、電池を有し、前記通電検知手段は、前記電圧入力部の電圧と前記記憶手段に記憶した通電判定用の電圧閾値を比較し、比較した結果を前記制御部に伝達し、前記制御部は前記通電検知手段が伝達した前記比較結果が前記通電判定用の電圧閾値より低いとき、電池で動作していることを前記表示部に表示する情報端末機器。
【請求項２】
入力手段を有し、記憶手段は通電判定用の電圧閾値を記憶し、前記入力手段を所定の手順で操作したとき、表示部は記憶手段に記憶した通電判定用の電圧閾値を表示し、前記通電判定用の電圧閾値を表示した状態において前記入力手段で所定の操作をしたとき、前記記憶手段に記憶した前記通電判定用の電圧閾値を変更する、請求項１に記載の情報端末機器。
【請求項３】
記憶手段は電池電圧判定用の電圧閾値を記憶し、入力手段を所定の手順で操作したとき、表示部は前記記憶手段に記憶した電池電圧判定用の電圧閾値を表示し、前記電池電圧判定用の電圧閾値を表示した状態において前記入力手段で所定の操作をしたとき、前記記憶手段に記憶した前記電池電圧判定用の電圧閾値を変更する、請求項１または２いずれか１項に記載の情報端末機器。
【請求項４】
電池電圧検知手段を有し、前記電池電圧検知手段は、所定の時間毎に電池の電圧を測定し、前記電池電圧検知手段によって測定した前記電池の電圧と記憶手段に記憶した前記電池電圧判定用の電圧閾値を比較し、比較した結果を制御部に伝達し、前記制御部は、前記電池電圧検知手段から伝達された前記比較結果が前記電池電圧判定用の電圧閾値より低いとき、表示部に電池の交換を促す表示を行う、請求項１から３いずれか１項に記載の情報端末機器。
【請求項５】
制御部は、通電検知手段が伝達した電圧入力部の電圧と記憶手段に記憶した通電判定用の電圧閾値の比較結果が通電判定用の電圧閾値より低いとき、表示部に電池の取出しを禁止する表示を行う、請求項１から４いずれか１項に記載の情報端末機器。
【請求項６】
制御部は、通電検知手段が伝達した電圧入力部の電圧と記憶手段に記憶した通電判定用の電圧閾値の比較結果が通電判定用の電圧閾値より低く、かつ電池電圧検知手段が伝達した比較結果が電池電圧判定用の電圧閾値より低いとき、シャットダウン処理を行う、請求項１から５いずれか１項に記載の情報端末機器。
【請求項７】
送受信部を有し、前記送受信部は通信ネットワーク網を介してサーバーと接続し、通電検知手段が伝達した電圧入力部の電圧と、記憶手段に記憶した通電判定用の電圧閾値の比較結果が通電判定用の電圧閾値より低いとき、前記電圧入力部が電圧調整手段を介して接続している商用電源が通電遮断状態にあることをサーバーに通知する、請求項１から６いずれか１項に記載の情報端末機器。
【請求項８】
送受信部は、電池電圧検知手段が伝達した比較結果が電池電圧判定用の電圧閾値より低いとき、電池の容量が低下していることをサーバーに通知する、請求項７に記載の情報端末機器。
【請求項９】
請求項１から８のいずれかに記載の情報端末機器が有する機能の一部または全部をコンピュータにより実行するためのプログラム。
【発明の詳細な説明】
【０００１】
【発明の属する技術分野】
本発明は、商用電源の通電状態を監視する機能を備え、特に商用電源の通電が遮断している場合のバックアップ電源として電池を備える情報端末機器に関するものである。
【０００２】
【従来の技術】
従来、停電時やＡＣアダプタなどが未接続の状態でも利用可能な、電池を備えた機器では、商用電源から電源が供給されている場合と、停電時などに電池から電源が供給されている場合があり、電池から電源が供給されている場合は電池容量の消費をできるだけ少なくするため、通常の動作モードから、バックライトの輝度を落としたり、バックライトをオフするなどの省エネルギーモードに動作モードを変更するのが一般的である。
【０００３】
例えば、従来、パソコンなどの情報端末機器や電子楽器などの液晶表示器のバックライト装置は、電源電流を供給する電源電流供給手段が所定の、または設定可能な基準電圧より低下すると、バックライトをオフするものがある（例えば、特許文献１参照）。
【０００４】
図１は、前記公報に記載された従来の液晶表示器のバックライト装置を示すものである。
【０００５】
図１において、ＬＣＤ表示器１のバックライト装置を有する電子楽器において、前記電子楽器に電源電流を供給する電源電流供給手段２と、前記電源電流供給手段２より供給された電流に基づいて、常に一定の電圧を発生する安定化電源３と、前記電源電流供給手段２より供給された電源電圧と、前記安定化電源３より供給された基準電圧を比較する比較手段４と、前記比較手段４による比較の結果、前記電源電流供給手段２より供給される電源の電圧が、前記安定化電源３より供給された基準電圧より低下すると、バックライト５に供給する電流をオフにする切り替え手段６とを有して構成されている。
【０００６】
これにより、バッテリ電圧が基準電圧値より低下するとバックライト５をオフすることで、消費電力を減らすことができるので、使用時間を延ばすことができる。
【０００７】
また、ノートパソコンなどバックアップ電池を内蔵した情報端末機器も同様に、ＡＣアダプタを接続していない場合や、停電時など、バックアップ用電池で電源を供給している場合は、使用時間を延ばすためバックライトの輝度を落とすなどして、通常の動作モードから省電力モードに動作モードを変更し、消費電力を抑えているのが一般的である。
【０００８】
【特許文献１】
特開平１０−３９２７２号公報
【０００９】
【発明が解決しようとする課題】
しかしながら、上述したように前記従来の構成では、利用者がＡＣアダプタを接続し忘れた場合やＡＣアダプタの接続が無意識のうちにはずれてしまった場合など、利用者が省電力モードで動作していることに気づかず、利用者の意に反して電池から電源供給するという不具合があった。
【００１０】
また、電池の自己放電により電池容量が低下しているにもかかわらず、利用者が電池容量が低下していることに気づかず、停電時など本来は電池から電源供給すべきときに電池容量が低下しており本体に電源供給できないということがあった。
【００１１】
また、停電やＡＣアダプタの未接続を検知するための基準となる電圧閾値や電池容量の低下を検知するための基準となる電圧閾値の設定は、可変抵抗器や抵抗分圧などにより調整する方法が一般的であり、一度製品を組み立てた後電圧閾値を変更する場合は、再度製品を分解し、基板上の抵抗を付けかえたり、可変抵抗器を再調整する必要があるので、非常に手間のかかるという課題があった。
【００１２】
本発明は、上記従来の課題を解決するもので、商用電源の通電状態を監視する機能を備え、特に商用電源の通電が遮断している場合のバックアップ電源として電池を備える情報端末機器において、電池から電源が供給されている場合、電池で動作していることを表示部に表示し利用者に通知する情報端末機器を提供することを目的とする。
【００１３】
【課題を解決するための手段】
前記従来の課題を解決するために、本発明の情報端末機器は、商用電源に接続した電圧調整手段と、前記電圧調整手段及び電池と電圧入力部で接続した通電検知手段と、電圧閾値データを格納する記憶手段と、電池を備え、前記通電検知手段は、前記電圧入力部の電圧と前記記憶手段に記憶した通電判定用の電圧閾値の比較を行い、前記制御部は比較結果が通電判定用の電圧閾値より低い場合は、電池で動作していることを表示部に表示する情報端末機器である。
【００１４】
これによって本発明は、前記通電検知手段が、前記電圧入力部の電圧と前記記憶手段に記憶した通電判定用の電圧閾値の比較を行うことで、商用電源の通電状態を監視し、前記制御部は、比較結果が前記記憶手段に記憶した通電判定用の電圧閾値より低い場合は、商用電源が通電遮断状態であると判断し、電池で動作していることを表示部に表示し、商用電源の供給が遮断され電池から電源供給されていることを利用者に通知するものである。
【００１５】
【発明の実施の形態】
請求項１に記載の発明は、商用電源に接続した電圧調整手段と、前記電圧調整手段及び電池と電圧入力部で接続した通電検知手段と、複数の電圧閾値を格納する記憶手段と、表示部と、制御部と、電池を有し、前記通電検知手段は、前記電圧入力部の電圧と前記記憶手段に記憶した通電判定用の電圧閾値を比較し、比較した結果を前記制御部に伝達し、前記制御部は前記通電検知手段が伝達した前記比較結果が前記通電判定用の電圧閾値より低いとき、電池で動作していることを前記表示部に表示するものであり、上記構成、動作によると、前記通電検知手段が、前記電圧入力部の電圧と前記記憶手段に記憶した通電判定用の電圧閾値の比較を行うことで、商用電源の通電状態を監視し、前記制御部は、比較結果が前記記憶手段に記憶した通電判定用の電圧閾値より低い場合は、商用電源が通電遮断状態であると判断し、利用者に、情報端末機器への電源供給が電池から行われていることを報知するので、利用者が電池で動作していることに気づかず、利用者の意に反して電池から電源供給するという事態を防止することができる。
【００１６】
請求項２に記載の発明は、請求項１の発明に加えて、入力手段を有し、記憶手段は通電判定用の電圧閾値を記憶し、前記入力手段を所定の手順で操作したとき、表示部は記憶手段に記憶した通電判定用の電圧閾値を表示し、前記通電判定用の電圧閾値を表示した状態において前記入力手段で所定の操作をしたとき、前記記憶手段に記憶した前記通電判定用の電圧閾値を変更するものであり、上記構成、動作によると、前記入力手段を所定の手順で操作するとことにより、前記記憶手段に格納している通電判定用の電圧閾値を前記表示部に表示することが可能であり、表示した通電判定用の電圧閾値を前記入力手段で変更することができるので、製品を組んだ状態でも容易に通電判定用の電圧閾値を変更することができる。
【００１７】
請求項３に記載の発明は、請求項１、２のいずれかに記載の発明に加えて、記憶手段は電池電圧判定用の電圧閾値を記憶し、入力手段を所定の手順で操作したとき、表示部は前記記憶手段に記憶した電池電圧判定用の電圧閾値を表示し、前記電池電圧判定用の電圧閾値を表示した状態において前記入力手段で所定の操作をしたとき、前記記憶手段に記憶した前記電池電圧判定用の電圧閾値を変更するものであり、上記構成、動作によると、前記入力手段を所定の手順で操作することにより、前記記憶手段に格納している電池電圧判定用の電圧閾値を前記表示部に表示することが可能であり、表示した電池電圧判定用の電圧閾値を前記入力手段で変更することができるので、製品を組んだ状態でも容易に電池電圧判定用の電圧閾値を変更することができる。
【００１８】
請求項４に記載の発明は、請求項１から３のいずれかに記載の発明に加えて、電池電圧検知手段を有し、前記電池電圧検知手段は、所定の時間毎に電池の電圧を測定し、前記電池電圧検知手段によって測定した前記電池の電圧と記憶手段に記憶した前記電池電圧判定用の電圧閾値を比較し、比較した結果を制御部に伝達し、前記制御部は、前記電池電圧検知手段から伝達された前記比較結果が前記電池電圧判定用の電圧閾値より低いとき、表示部に電池の交換を促す表示を行うものであり、上記構成、動作によると、前記電池電圧検知手段は、所定の時間毎に電池の電圧を測定し、測定した電圧と記憶手段に記憶した電池電圧判定用の電圧閾値の比較を行い、前記制御部は比較結果が電池電圧判定用の電圧閾値より低い場合は、電池の交換を促す旨の通知を前記情報端末機器の表示部に行うことで、利用者が電池容量が低下したことを自動的に確認することができる。
【００１９】
請求項５に記載の発明は、請求項１から４いずれかに記載の発明に加えて、制御部は、通電検知手段が伝達した電圧入力部の電圧と記憶手段に記憶した通電判定用の電圧閾値の比較結果が通電判定用の電圧閾値より低いとき、表示部に電池の取出しを禁止する表示を行うものであり、上記構成、動作によると、制御部は、通電検知手段が伝達した電圧入力部の電圧と記憶手段に記憶した通電判定用の電圧閾値の比較結果が、通電判定用の電圧閾値より低い場合は、表示部に電池を取り出さないように報知することで、情報端末機器の電源供給が電池から供給されているときに、利用者が電池を取り外すことを防止することによって、データのＲＡＭ書き込み中などに電源供給が遮断されることを防止することができるので、データを安全に保持することができる。
【００２０】
請求項６に記載の発明は、請求項１から５のいずれかに記載の発明に加えて、制御部は、通電検知手段が伝達した電圧入力部の電圧と記憶手段に記憶した通電判定用の電圧閾値の比較結果が通電判定用の電圧閾値より低く、かつ電池電圧検知手段が伝達した比較結果が電池電圧判定用の電圧閾値より低いとき、シャットダウン処理を行うものであり、上記構成、動作によると、制御部は、通電検知手段が伝達した電圧入力部の電圧と記憶手段に記憶した通電判定用の電圧閾値の比較結果が通電判定用の電圧閾値より低く、情報端末機器が電池から電源供給されている状態のとき、電池電圧検知手段が伝達した比較結果が電池電圧判定用の電圧閾値より低い場合は、前記情報端末のシステムのシャットダウン処理を行うことで、アクセス中のＲＡＭへのデータ書き込みなどを確実に完了させることで、データを安全に保持することができる。
【００２１】
請求項７に記載の発明は、請求項１から６いずれかに記載の発明に加えて、送受信部を有し、前記送受信部は通信ネットワーク網を介してサーバーと接続し、通電検知手段が伝達した電圧入力部の電圧と、記憶手段に記憶した通電判定用の電圧閾値の比較結果が通電判定用の電圧閾値より低いとき、前記電圧入力部が電圧調整手段を介して接続している商用電源が通電遮断状態にあることをサーバーに通知するものであり、上記構成、動作によると、制御部は、通電検知手段が伝達した電圧入力部の電圧と記憶手段に記憶した通電判定用の電圧閾値の比較結果が通電判定用の電圧閾値より低い場合は、その情報を前記ネットワーク網を介してサーバーに通報することで、サーバー側では商用電源からの電源供給が正常に行われているかどうかを確認することができる。
【００２２】
請求項８に記載の発明は、請求項７に記載の発明に加えて、送受信部は、電池電圧検知手段が伝達した比較結果が電池電圧判定用の電圧閾値より低いとき、電池の容量が低下していることをサーバーに通知するものであり、上記構成、動作によると、制御部は、電池電圧検知手段が伝達した比較結果が電池電圧判定用の電圧閾値より低い場合は、その情報を前記ネットワーク網を介してサーバーに通報することで、サーバー側では電池が正常であるか、または劣化していないかを確認することができる。
【００２３】
また、請求項９に記載の発明は、請求項１から８のいずれかに記載の情報端末機器が有する機能の一部または全部をコンピュータにより実行するためのプログラムである。
【００２４】
そしてプログラムであるので、コンピュータ等などを用いて本発明の電気機器の一部あるいは全部の機能を容易に実現することができる。
【００２５】
【実施例】
以下、本発明の実施例について、図面を参照しながら説明する。
【００２６】
（第１の実施例）
まず、第１の実施例の構成について、図２から図５を用いて説明する。
【００２７】
図２は、情報端末機器の回路ブロック図を示すものである。
【００２８】
１０は情報端末機器の本体である。情報端末機器１０は商用電源をＡＣアダプタなどを介して電源を供給する主電源と、何らかの理由で主電源からの電源供給が遮断された場合に情報端末機器１０を動作させるためのバックアップ電池を備える構成となっている。
【００２９】
１１は情報端末機器１０の制御部であり、利用者からの入力情報や情報端末機器の電源監視情報や電池電圧監視情報などに基づいて情報端末機器１０の動作の制御を行っている。
【００３０】
１２は電圧調整手段であり、商用電源に接続されており、ＡＣ／ＤＣ変換を行い、情報端末機器１０に電源を供給している。例えば、ＡＣアダプタやスイッチング電源などである。
【００３１】
１３は電圧調整手段１２を情報端末機器１０に接続するための接続手段である。
【００３２】
１４は電池であり、停電時や、利用者がＡＣアダプタの接続を忘れたときや、ＡＣアダプタが無意識のうちに外れてしまった場合など、商用電源の電源供給が遮断された場合、電池１４から情報端末機器１０へ電源が供給される。
【００３３】
１５は通電検知手段であり、通電検知手段はＡＣアダプタの出力電圧または出力電圧を抵抗分圧した電圧を測定する電圧入力部を備えており、測定した電圧値のデータから商用電源の通電状態を監視している。
【００３４】
１６は電池電圧検知手段であり、情報端末機器１０に内蔵されている電池の電圧を測定し、電池の容量を監視している。
【００３５】
１７は記憶手段であり、前記通電検知手段１５や前記電池電圧検知手段１６において、ＡＣ電源が通電されているかどうかの判定を行う通電判定用の電圧閾値や、電池電圧に異常がないかどうかを判定するための電池電圧判定用の電圧閾値などの各種設定データを格納している。
【００３６】
１８は、情報端末機器１０の回路に電源を供給するためのＤＣ／ＤＣコンバータである。
【００３７】
１９はＲＡＭであり、情報端末機器のフラグやバッファが定義されるとともに、情報端末機器の制御データを一時的に格納するデータエリアを備えている。
【００３８】
２０は情報端末機器１０のアプリケーションやエラーの表示などを行うための表示部である。
【００３９】
次に図３について説明する。
【００４０】
図３は情報端末機器の概観の例である。
【００４１】
２１、２２、２３は情報端末機器１０を操作するための入力手段である。入力手段は図３に示したようなボタンである場合や、タッチパネルなどがあり、情報端末機器１０の本体に外部入力装置との接続手段を設けて外部入力装置から入力を行う場合も発明の効果としては同様である。
【００４２】
次に本実施例の動作について図４、図５を用いて説明する。
【００４３】
図４は、商用電源の通電状態と電池の容量低下を監視するフローチャートを示す図である。
【００４４】
通電検知手段１５は電圧調整手段であるＡＣアダプタなどから供給される主電源の通電状態を検知している。商用電源がＡＣアダプタを介して電源が情報端末機器に供給されている場合、通電検知手段１５はＡＣアダプタから供給された主電源電圧を取得し（Ｓ１）、測定した電圧値が、前記記憶手段１７に記憶されている通電判定用の電圧閾値より低い場合は、ＡＣアダプタからの電源の供給が遮断されたと判断する（Ｓ２）。なお、ＡＣアダプタから供給された主電源電圧が通電検知手段の測定可能な電圧範囲にない場合は、主電源電圧を抵抗分割した電圧値を前記通電検知手段１５に入力し測定する場合も、同様である。
【００４５】
一方、図５に示すように、前記電池電圧検知手段１６によって、電池電圧も所定の時間毎に測定している（Ｓ２１）。測定された電池電圧が、前記記憶手段１７に記憶されている電池電圧判定用の電圧閾値より低い場合は（Ｓ２２）、ＲＡＭに電池容量低下を表すフラグをたてる（Ｓ２３）とともに、前記表示部２０に電池交換を促す旨の報知を行う（Ｓ２４）。
【００４６】
前記通電検知手段１５によって、停電やＡＣアダプタがはずれたことなどによりＡＣアダプタからの主電源の供給が遮断されたと判断する（Ｓ１２）と、前記情報端末機器１０が通常モード（Ｓ３）で動作しているところへ、停電割り込み処理を行う。
【００４７】
停電割り込み処理では、まず、前記電池電圧検知手段１６によって測定された電池電圧が、所定の電池電圧判定用の電圧閾値より低くなっており、電池容量低下を表すフラグがたっていないかどうかを確認する（Ｓ４）。
【００４８】
電池容量低下を表すフラグがたっている場合は、直ちにメモリアクセスを停止するなどしてシステムをシャットダウンする（Ｓ７）。
【００４９】
電池容量低下を表すフラグがたっていない場合は、図３に示すように、表示部の一部に電池で動作している旨の報知を行う（Ｓ５）。
【００５０】
また、電池での動作をできるだけ長時間持たせるように、バックライトの輝度を下げたり、表示用クロック、メモリアクセス用のクロックを制御し低周波動作に切換えるなどの省電力モードへ切換えるのが一般的である（Ｓ６）。
【００５１】
電池から電源供給が行われている間も、前記電池電圧検知手段１６は、所定の時間毎に電池電圧を測定する（Ｓ８）。電池から電源供給が行われているときに、前記電池電圧検知手段１６が測定した電池電圧が、前記記憶手段１７に記憶されている電池電圧判定用の電圧閾値より低くなった場合（Ｓ９）は、ＲＡＭに電池容量低下を表すフラグをたてた後（Ｓ１０）、メモリアクセス停止するなどしてシステムをシャットダウンする（Ｓ７）。
【００５２】
このようにして、商用電源からの電源供給が行われているときは、所定の時間毎に、ＡＣアダプタから供給された電圧を測定し、測定された電圧値と、前記記憶手段１７に記憶されている通電判定用の電圧閾値を比較し、通電判定用の電圧閾値より低くなった場合は、前記情報端末機器の表示部２０に電池で動作している旨の報知を行うので、利用者に、電池から電源供給されていることを自動的に報知することができ、利用者が意図しない場合の電池からの電源供給を防止することができる。
【００５３】
また、前記電池電圧検知手段１６は、所定の時間毎に電池の電圧を測定し、測定した電圧と前記記憶手段１７に記憶した電池電圧判定用の電圧閾値の比較を行い、前記制御部１１は比較結果が電池電圧判定用の電圧閾値より低い場合は、前記表示部２０に電池交換を促す旨の報知を行うことで、利用者に自動的に電池残容量の低下を報知することができ、また、利用者に電池交換を促す表示を行うことで、停電したときなどＡＣアダプタからの電源供給が遮断されたとき、電池容量の低下を含む電池異常によって、前記情報端末機器１０が動作しないという事態を事前に防止することができる。
【００５４】
このとき、電池の交換は主電源が復帰してから電池を交換する旨の報知も行うことで、ＲＡＭへの書き込み中に電源供給が遮断される事態を防止することができるので、データを安全に保持することができる。
【００５５】
また、電池交換を促す報知を行っても利用者が電池の交換を忘れており、かつ停電したときなどＡＣアダプタからの電源供給が遮断されてしまった場合は、直ちにメモリアクセスを停止するなどしてシステムをシャットダウンすることで、アクセス中のＲＡＭへの書き込みなどを確実に完了させることで、データを安全に保持することができる。
【００５６】
（第２の実施例）
第２の実施例は、第１の実施例に加えて、通電判定用の電圧閾値または電池電圧判定用の閾値を変更する方法についての場合であり、その他の構成、動作は第１の実施例と同じである。
【００５７】
そこで以下では第２の実施例の構成、動作について、第１の実施例との相違点を中心に述べ、その他の構成、動作については第１の実施例と同じものとする。
【００５８】
次に第２の実施例の動作について、図６を用いて説明する。
【００５９】
図６は、前記記憶手段１７に記憶している通電判定用の電圧閾値や電池電圧判定用の電圧閾値などの閾値データを変更するための画面の例を示す図である。
【００６０】
通常、閾値データの変更は、プログラムのバージョンアップ時や、出荷時や、開発時にのみ使用するものであり、一般の利用者が電圧閾値を変更することはない。よって、図６の例に示すような閾値データを変更する画面は、メンテナンス時や開発時に所定の操作を行うことで呼び出される画面であり、一般の利用者は表示することができないように、所定の操作を行わなければ、電圧閾値などの閾値データを変更する画面を表示できないようにする必要がある。
【００６１】
例えば、電源投入時の所定の時間内に、前記入力手段２２の上ボタン、下ボタン、右ボタン、左ボタン、前記入力手段２３のＥｎｔｅｒボタンなどの所定の順番で操作すると、通電判定用の電圧閾値や電池電圧判定用の電圧閾値などの閾値データを変更する画面を呼び出すことができる。
【００６２】
所定の操作手順は、プログラムで設定可能であるので、自由に設定することが可能である。
【００６３】
電池電圧判定用の電圧閾値は、不揮発性メモリなどの前記記憶手段１７に格納されており、電池電圧判定用の電圧閾値を変更する画面を呼び出すと、電圧閾値が格納されているアドレスへアクセスされ、前期情報機器端末１０の表示部２０に表示される。
【００６４】
情報端末機器１０への電源供給が電池から供給されている場合に、電池電圧が電池電圧判定用の電圧閾値より低くなった場合は、実施例１で述べたように、メモリアクセスを停止し、システムをシャットダウンする。
【００６５】
このとき、設定している電圧閾値が低すぎると、メモリアクセス中のデータの書き込みが完了し、メモリアクセスを停止する前に電圧が低下してしまい、電源供給が遮断されてしまう場合がある。
【００６６】
また、設定している電圧閾値が高すぎると、電池から電源を供給している間の情報端末機器１０の動作時間が短くなってしまう。
【００６７】
このとき、電池電圧判定用の電圧閾値を変更する画面を呼び出し、電圧閾値を上記入力手段２１、２２、２３を用いて変更し、前記記憶手段１７に記憶させることで、電池電圧判定用の電圧閾値を変更することができる。
【００６８】
また、同様の操作を行うことで、停電検知などに用いる通電判定用の電圧閾値も変更することができる。
【００６９】
このようにして、前記入力手段２１、２２、２３を所定の手順で操作を行うことで電圧閾値を前記表示部２０に表示し、前記入力手段で容易に変更できるので、前記情報機器端末を組み立てた状態でも容易に電圧閾値を変更することができる。
【００７０】
また、製品を組み立てた状態で電圧閾値を変更することができるので、形状が同じで電池の放電特性が異なる電池を使用可能な場合など、製品の特徴や、使用する地域別などで、容易に電圧閾値を変えることができる。
【００７１】
なお、前記入力手段としてタッチパネルを用いる場合は、タッチパネルを所定の手順で操作することにより、電圧閾値を前記表示部２０に表示し、前記入力手段で変更することができるので、前記入力手段としてタッチパネルを用いてもその効果は変わらない。
【００７２】
（第３の実施例）
第３の実施例は、第１、第２の実施例に加えて、情報機器端末１０がネットワーク網を介してサーバー側と接続されており、前記通電検知手段１５によって測定された電圧値が通電判定用の電圧閾値より低下している場合、または電池電圧検知手段１６によって測定した電圧値が、電池電圧検知用の電圧閾値より低下している場合はセンター側に通知する場合についての実施例である。
【００７３】
そこで以下では第２の実施例の構成、動作について、第１、第２の実施例との相違点を中心に述べ、その他の構成、動作については第１、第２の実施例と同じものとする。
【００７４】
次に第３の実施例について、図７を用いて説明する。
【００７５】
図７は前記情報機器端末１０が、管理会社などのセンター側に設置されているサーバーとネットワーク網を介して接続している場合の構成図である。
【００７６】
図７において、２４は前記情報機器端末とサーバーとを接続するネットワーク網である。
【００７７】
２５は管理会社に設置されているサーバーであり、前記情報機器端末１０から送信されてくるデータを保持している。
【００７８】
２６は前記情報端末機器１０からの情報をサーバーに送信、またはサーバーからの情報を受信するための送受信部である。
【００７９】
次に第３の実施例の動作について説明する。
【００８０】
なお、前記情報機器端末１０が所定の時間毎に、前記通電検知手段１５と電池電圧検知手段１６によって電圧の監視を行うことは、実施例１と同じである。
【００８１】
前記情報機器端末１０への電源供給が、停電などにより遮断され、前記通電検知手段１５によって測定された電圧が、通電検知用の電圧閾値より低くなった場合、ＡＣアダプタから供給されている主電源の供給が遮断されたと判断し、主電源からの電源供給が遮断された旨を示す情報をセンター側のサーバーに通報する。ただし、主電源の供給が遮断されたとき、電池容量が低下している場合は、実施例１で示したように、システムがシャットダウンされるのでセンター側への通報は行わない。
【００８２】
また、ＡＣアダプタから主電源が供給されているときに、前記電池電圧検知手段１６によって測定された電池電圧が、電池電圧検知用の電圧閾値より低くなった場合は、電池容量が低下したと判断してその旨を示す情報をセンター側へ通報する。ただし、停電時など主電源からの電源が遮断され、電池から電源供給している場合に、電池電圧が電圧閾値より低くなった場合は、実施例１で示したように、システムがシャットダウンされるのでセンター側への通報は行わない。
【００８３】
このようにして、所定の時間毎に、通電の確認と、電池容量低下を含む電池の異常確認を行い、異常が生じたときにセンター側へ通報することで、電池異常が生じている場合は、遅滞なく電池を交換することができる。よって、停電時などＡＣアダプタからの主電源の供給が遮断されたときも、電池容量が低下するまでは正常に動作させることが可能であり、主電源が遮断されたときに行っていた処理は最低限行うことができるので、電池容量が低下しており、情報端末機器が正常に動作しないという事態を未然に回避することができる。
【００８４】
また、停電時など確実に電池から電源が供給されるので、電池容量が低下しており、システムをシャットダウンしようとしたが、シャットダウン処理が間に合わず、アクセス中のＲＡＭへの書き込みなどを確実に完了できず、データを安全に保持することができないという事態を回避することができるので、安全にシステムをシャットダウンすることができる。
【００８５】
【発明の効果】
以上のように、本発明によれば、利用者が省電力モードで動作していることに気づかず、利用者の意に反して電池から電源供給するという事態を防止することができる。
【００８６】
また、記憶手段に格納されている通電判定用の電圧閾値や電池電圧判定用の電圧閾値などの閾値データを表示部に呼び出し、入力手段を用いて設定しなおすことができ、製品を組んだ状態でも容易に電圧の閾値データを変更することができる。
【００８７】
また、電池電圧検知手段により、電池の容量が少なくなっていないかを検知し、電池容量が少なくなっている場合は利用者に報知することができ、停電時などに電池容量が低下しており本体に電源供給できないといった事態を防止することができる。
【図面の簡単な説明】
【図１】従来の液晶表示器のバックライト装置を示す図
【図２】本発明の実施例１における情報端末機器の回路ブロック図
【図３】本発明の実施例１における情報端末機器の構成図
【図４】本発明の実施例１における情報端末機器の通電検知と電池電圧検知のフローチャート
【図５】本発明の実施例１における情報端末機器の電池電圧検知のフローチャート
【図６】本発明の実施例２における情報端末機器の閾値設定画面の例を示す図
【図７】本発明の第３の実施例である、情報端末機器が管理会社などのセンター側に設置されているサーバーとネットワーク網を介して接続している場合の構成図
【符号の説明】
１  ＬＣＤ
２  電源電流供給手段
３  安定化電源
４  比較器
５  バックライト
６  トランジスタ
７  操作パネル
８  ボリュームスイッチ
９  ＣＰＵ
１０  情報端末機器
１１  制御部
１２  電圧調整手段
１３  接続手段
１４  電池
１５  通電検知手段
１６  電池電圧検知手段
１７  記憶手段
１８  ＤＣ／ＤＣコンバータ
１９  ＲＡＭ
２０  表示部
２１、２２、２３  入力手段
２４  ネットワーク網
２５  サーバー
２６  送受信部
【図１】
2004227381.tif 000003
【図２】
2004227381.tif 000004
【図３】
2004227381.tif 000005
【図４】
2004227381.tif 000006
【図５】
2004227381.tif 000007
【図６】
2004227381.tif 000008
【図７】
2004227381.tif 000009